(57)【要約】本発明は、単一の衣類または洗濯用品類をあらかじめ決められた順序に識別し、かつ区分けするためのシステムに関し、区分けには、箱（１）内に導入された衣類に縫い付けられたチップを読み取るのに適切な箱（１）が用いられ、かかる箱はその頂部先端部が、まっすぐな大きい運搬用パイプ（２）の上向きのセクション（２ａ）に連結され、また下には格子構造（５）を有する基部が備え付けられており、この基部は箱（１）に強力な送風を吹き込むのに適切なファン（６）と関連付けられており、この強風で箱（１）の中の衣類は突き上げられ、上述された上方に配置された運搬用パイプ（２）内に入ることができる。衣類は次いで、パイプ（２ａ、２ｂ、２ｃ）全長を通過して、パイプの外側部分（２ｃ）の下に配置された適切な籠（ｃ１、ｃ２、ｃ３）に下ろされることを特徴とする。
2007508098.tif 000002
【特許請求の範囲】
【請求項１】
本発明は、単一の衣類または洗濯用品類をあらかじめ決められた順序に識別し、かつ区分けするためのシステムに関し、区分けには、箱内に導入された衣類に縫い付けられたチップを読み取るのに適切な箱（１）が用いられ、保持構造部（Ｓ）が取り付けられ、この保持構造部（Ｓ）は後続の衣類を装荷するための窓部を含んでおり、前記箱（１）は頂部（１ａ）において傾斜した側面を有し、大きい運搬用パイプ（２）のまっすぐな上向きのセクション（２ａ）に密封シールで結合されており、箱はその頂部先端部が、まっすぐな大きい運搬用パイプ（２）の上向きのセクション（２ａ）に連結され、また下部には格子構造（５）を有する基部が備え付けられており、この基部は箱（１）に強力な送風を吹き込むのに適切なファン（６）と関連付けられており、この強風で箱（１）の中の衣類は突き上げられ、上方に配置された運搬用パイプ（２）内に入ることが可能となり、さらにパイプ全長を通ってパイプの外側部分まで通過することを特徴とするシステム。
【請求項２】
システムであって、前記運搬用パイプ（２）は反転「Ｕ」字型の側面を有し、上述された垂直方向の上向きのセクション（２ａ）に加えて、中間に配された平行セクション（２ｂ）と、垂直方向下向きのセクション（２ｃ）とを備えることを特徴とする請求項１に記載のシステム。
【請求項３】
システムであって、箱（１）の前記傾斜付けられた頂部（１ａ）と、運搬用パイプ（２）の前記垂直方向上向きのセクション（２ａ）との間の中間に配された位置に、前記構造体（Ｓ）から突出するとともに、箱（１）を保持するために用いられる平行プレート（３）を有することを特徴とする第１項または前述の両項に記載のシステム。
【請求項４】
システムであって、前記運搬用パイプ（２）は垂直方向の上向きのセクション（２ａ）の縦断軸の周囲に旋回機能を有することを特徴とする前述の１つまたは複数の請求項に記載のシステム。
【請求項５】
システムであって、前記運搬用パイプ（２）の旋回は、適切なアクチュエータ類（４）により動作されることを特徴とする請求項４に記載のシステム。
【請求項６】
システムであって、前記パイプ（２）の垂直方向上向きのセクション（２ａ）と、保持構造部（Ｓ）に取り付けられた平行プレート（３）との間に、適切な態様で配置された対向する一対のジャック（４）を含むことを特徴とする請求項５に記載のシステム。
【請求項７】
システムであって、上述された機器は格子基部（５）に連結されて、強力な風を生成し、かつ生成された風を必要な方向に向けられたファン（６）を含む箱（１）に吹き込むことを特徴とする前述の１つまたは複数の請求項に記載のシステム。
【請求項８】
システムであって、上述された格子基部（５）は箱（１）の基部を開くために、基部をその閉位置から開放することと、次いで同様の閉位置に基部を戻すこととを、交互に行なう適切なアクチュエータのおかげで動作することを特徴とする前述の１つまたは複数の請求項に記載のシステム。
【請求項９】
システムであって、前記箱（１）の下で前記基部（５）が閉位置ではない場合に、箱（１）から重力により落下する認識していない衣類を受けるための受け口（７）を含み、前記受け口（７）は開口部が戻り部（８）に向けて衣類を運搬することができ、好ましくは上述された装荷窓部の下で箱（１）の前記保持構造部（Ｓ）から切り取られたものであることを特徴とする請求項８に記載のシステム。
【発明の詳細な説明】
【技術分野】
【０００１】
本願明細書は、単一の衣類または洗濯用品類を識別して、あらかじめ決められた順序に区分けするためのシステムに関する。
【背景技術】
【０００２】
工場、病院、大学、ホテルなどの大きな共同体において、迅速かつ効率的に洗濯を行ない、その衣類または洗濯用品類を、これらの共同体のそれぞれの部門に分配する必要性が高まっていることは既知である。
【０００３】
この業務を容易に行なうためにかつて、識別用のチップを全ての衣類に縫い付ける方法がなされてきたが、この方法のおかげで、異なる衣類は、たとえまとめて取り扱われて、さらに作業段階の中で無計画に扱われることがあっても、それぞれを識別し、元の所有者に返還することが可能であった。
【０００４】
これに関して、識別用の箱が既に存在するが、これらの箱は識別されるべき衣類を正確に保持するために用いられており、箱の中にはそれぞれの衣類のチップを識別するとともにそのコードを読み取るために、対応する識別装置が配置されている。
【０００５】
それぞれの衣類の電子コードを区別することは、明らかに本来の所有者へ任意の個々の衣類の割り当てを可能とすることを示すものである。したがってこれらの箱は衣類が確認されると即時に開く、取り外し可能な底部を有するようになされる。
【０００６】
これにより衣類は下方にあるコンベアベルト上に落下することが可能となり、その衣類の所有者に対応する特定の洗濯籠へと運ばれることとなる。
【０００７】
これらの既定の技術を参照すると、上述された識別用の箱もまた、箱内に置かれた衣類を取り扱うための手段が設けられている。これらの手段は箱内の特定の衣類が、かかる上述された識別手段により認識できない衣類の内部にチップを縫い付ける位置にあるときのみ行なうとよいとされる。
【０００８】
これらの取り扱い手段を行なうことにより、衣類の位置を修正することが可能なものとなり、したがって認識されうる位置内に対応するチップを配置することが可能となる。
【０００９】
識別用の箱などの内部の衣類を取り扱うために今までに選択されてきた解決策として、一方では、アクチュエータを有するものがあり、このアクチュエータは、内部に衣類を有する箱内部の全ての構成物を強力に振動させるものである。他方、箱内部に回転アームまたはノズルをいくつか有し、強制的に空気を送るものがあり、これらは、認識されるべき衣類に対して、回転アームが機械的な機能を有し、ノズルが空気圧の機能を有する。
【発明の開示】
【００１０】
本発明の目的は、こういった確立された技術を革新することであり、衣類識別システム全体の構成を簡略化させることにより、実現コストを低くするとともに、作業効率を上げるものである。
【００１１】
強制的な空気の送出が、以前は識別用の箱の内部の衣類の位置を変化させるために用いられることがあったが、これがまた本発明の概念において有利なことに、衣類が認識されたのち、箱から取り出すために用いられても実際に適切であるという見解を基にする。
【００１２】
したがって本発明にしたがったシステムの箱は、装置（好ましくは極めて強力な通風機）に装備され、この装置は箱内部に含まれる空気に、強力な加速度を与えることができるものである。
【００１３】
衣類識別作業中に、これらの装置は通常、実際に作動していない状態になされてもよく、また、衣類のチップが関連する識別装置により認識されるべき位置に当初置かれていない場合にのみ、衣類を振動させるために簡単に作動状態になされてもよい。
【００１４】
識別が行なわれると即座に、これらの装置は再び作動することができ、かつ必要に応じて作動状態を保持することができる。これにより、動作の変化によって発生した空気の乱れが箱の上部に向かって衣類を押し上げ、ならびに箱の外部に向かって衣類を押し出すことを可能にする。
【００１５】
この最後の点に関しては、上述された技術を採用するためには、識別用の箱の構造、またさらに外に向かう衣類が異なる収集籠に収まるような方法を改良する必要があることに留意されたい。
【００１６】
本発明にしたがったシステムに関連して製造された箱は、頂部の開口部が大きく、これにより衣類は引き続き、前述した識別区分けを行なう箱でなされるように、適切な方法で強力な送風により箱の下方より上方へと押し上げられる。
【００１７】
本発明にしたがったかかるシステムは、コンベアベルトが不要であることは明らかである。このコンベアベルト上には現在まで、認識されたばかりの衣類を重力で下ろすために箱が載せられた。
【００１８】
正確には、認識した衣類を識別および区分け用の箱の開口部上方から、力で押し出すために、開口部の下には格子付きの基部およびその基部の下には強力なファンがある。
【００１９】
したがって、ファンにより発生した強力な送風は箱の内部へ吹き込み、基部の格子があるために認識された衣類に直接あたって、特別に設けられた上方の開口部を介して箱の外部に排出されることは容易に理解されるであろう。
【００２０】
このシステムにより、箱の頂部に向かって運ばれた衣類は、大きな運搬および荷下ろし用のパイプに入り、基部に結合されたファンで発生する突き上げ圧力があるおかげで、そのパイプ内を高速で通過することができる。
【００２１】
詳細に述べると、かかるパイプは反転「Ｕ」字型の外形であり、（それぞれの衣類が識別用の箱から排出されたのち、即座に入るところである）第１の垂直方向上向きのセクションを有し、ここで衣類を取り上げ、次いで、中央平行方向セクションで、識別用の箱から衣類を取り出す。最後の垂直方向セクションは、下方向に向いており、ここから衣類は重力により容易に落下して、その下に設けられた対応する洗濯籠内に入る。
【００２２】
論点の新しいシステムにおける実際的かつ多目的な態様をさらに付加するために、かかる運搬用パイプは識別用の箱上に結合された、垂直方向上向きのセクションを軸として用いて、旋回が可能である。
【００２３】
このようにパイプが旋回することが可能であるため、パイプ自体の位置を迅速に変更することが可能となり、これにより種々の衣類の荷下ろし点の変更もまた可能となる。
【００２４】
したがって、識別用の箱の背部に一定の数の洗濯籠を設けることが可能であり、荷下ろし用パイプが旋回できるという能力を利用して、排出される衣類をこれらの籠のうちのいずれかに選択的に運搬することが可能である。
【００２５】
最後にここで重要なことは、本発明にしたがって用いられた区分けおよび識別用の箱が、下方に傾斜した基部に戻り、内部の衣類が落下するためのセクションを開放することに留意することである。
【００２６】
詳細に述べると、かかる基部が開放されるのは、識別用の箱に置かれた衣類が、対応するチップを不意に失ってしまったりして認識されない場合に行なわれるものである。
【００２７】
このような場合に極めて重要なのは、認識されていない衣類が次の区分け段階に送られることを防止することである。このために識別用の箱の基部の開口部は、認識できない衣類のみを収集するために配置された籠内に、衣類を重力で落下させることができるようになっているのである。
【発明を実施するための最良の形態】
【００２８】
図面に関して、かかるシステムは垂直方向の保持構造部（Ｓ）を含み、識別用チップを設けられた単一の衣類または洗濯用品を識別および区分けするための箱（１）を保持し、かかる箱（１）の装荷は、垂直方向の保持壁部（Ｓ）を切り取った窓部（添付図面には図示せず）を介してなされる。
【００２９】
かかる箱（１）は通常、適切な識別装置内に備え付けられ、かかる窓部を介して１枚ずつ挿入されることにより、箱内部に荷下ろしされた衣類上に縫い付けられたチップを読み取ることが可能である。
【００３０】
頂部ではかかる箱（１）は、角錐台に成形されたセクション（１ａ）で成端し、上述された垂直方向の保持構造部（Ｓ）の背部から突出する平行プレート（３）を介入した形で、大きい運搬用パイプ（２）の直線方向に上向きの密封部（２ａ）に結合される。
【００３１】
好ましい実施形態においては、上述されたパイプ（２）は反転「Ｕ」字型の側面形状を有し、上述された垂直方向の上向きのセクション（２ａ）に加えて、中間層平行セクション（２ｂ）および垂直方向の下向きのセクション（２ｃ）を含み、かかるパイプはまた、上述された平行プレート（３）に適切に固定され、垂直方向上向きセクション（２ａ）の縦断面軸の周囲を旋回する能力を有していることが好ましい。
【００３２】
一方の先端部がかかる一方の平行プレート（３）に取り付けられ、対向する先端部がかかるパイプ（２）の垂直方向上向きのセクション（２ａ）の基部の外側に取り付けられた、一対の平行方向に軸付されたジャック部（４）のおかげで、図２に示されるようにかかるパイプ（２）の旋回がなされる。
【００３３】
下方の部分においては、かかる箱（１）は格子構造（５）を有する基部により閉鎖されており、この基部の下に強力なファン（６）が取り付けられ、このファンは、作り出した送風が基部（５）内の格子を介して、箱（１）に入るように向けられている。
【００３４】
先に説明したように、かかるファン（６）は２つの目的をもって用いられる。
【００３５】
まず、これらの目的を簡潔に説明すると、まず、箱内部に配置された識別装置が読み取りできないような位置にチップが配置された場合に箱（１）内の衣類を振り動かすことと、さらにその上に配置される運搬用パイプ（２）に向けて衣類を強力に押し出すことである。
【００３６】
当然のことながら、上記の２番目の場合では、ファン（６）は、衣類を振り動かすための時間より、長時間作動されなければならない。
【００３７】
この点について図１は、単一の洗濯物収集籠（Ｃ）に連結されたかかるシステムの場合を示していることに留意されたい。この場合、運搬用パイプ（２）は明らかに固定位置内のままに配置され、これにより垂直方向下向きのセクション（２ｂ）は洗濯籠の上の中央に配置される。
【００３８】
図２は他方、同様のシステムが異なる３つの洗濯物収集籠類（Ｃ１、Ｃ２、Ｃ３）と連結された様子を示す。この場合、運搬用パイプ（２）はこれら３つの籠のうちの１つに向けられ、箱から排出された衣類の向かう先はこの籠に依存する。
【００３９】
添付図面上では、箱（１）の基部（５）は常に平行で閉じられた位置に示されるが、（添付図面上では図示しないが、適切なアクチュエータにより動作され）下向きに傾斜させることも可能であり、これにより、既に箱（１）に挿入されたが認識されなかった衣類自体の重力により落下することができるということを留意されたい。
【００４０】
さらに詳細に説明すると、認識されなかった衣類はそれぞれ、箱（１）から、その下にある受け口（７）に落下する。これにより、次いで開口部に向け運搬され、ここで上述された装荷窓部の下に切り込まれた保持構造部（Ｓ）の戻り部に運ばれて、衣類を箱に挿入した衣類所有者に戻されることとなる。
【図面の簡単な説明】
【００４１】
本発明をよりわかりやすいものにするために、添付図面に関連して本発明をさらに説明するが、これらの図面は例示を意図とするものであり、本発明を限定するためのものではないことを理解されたい。
【図１】本発明にしたがった装置をアクソメトリック法で示した図である。
【図２】図１と同様な図であるが、既に認識済みの衣類用の、対応する運搬用パイプに設けられた旋回機能部を示す図である。
【図１】
2007508098.tif 000003
【図２】
2007508098.tif 000004
【国際調査報告】
2007508098.tif 000005
2007508098.tif 000006
2007508098.tif 000007